(57)【要約】【課題】接続可能台数の低下を抑制することが可能なインバータ装置を提供する。【解決手段】このインバータ装置１００は、３相入力端子１と、３相入力端子１からの交流電圧を直流電圧に変換する整流回路２と、整流回路２により変換された直流電圧を平滑する平滑コンデンサ５と、整流回路２と平滑コンデンサ５との間に接続され、スイッチ３ａと充電抵抗３ｂとの並列回路からなる充電回路３と、負極側Ｎ端子４１と充電回路３の２次側に設けられる正極側Ｐ端子４０とを含む外部接続端子４と、を備え、整流回路２の出力側と充電回路３の入力側とが短絡されている状態と、３相入力端子１と充電回路３の入力側とが短絡されている状態とを切り替え可能に構成されている。【選択図】図１
2018078683.tif 000002
【特許請求の範囲】
【請求項１】
３相入力端子と、
前記３相入力端子からの交流電圧を直流電圧に変換する交流直流変換部と、
前記交流直流変換部により変換された直流電圧を平滑する平滑コンデンサと、
前記平滑コンデンサにより平滑された直流電圧を交流電圧に変換する直流交流変換部と、
前記交流直流変換部と前記平滑コンデンサとの間に接続され、スイッチと充電抵抗との並列回路からなる充電回路と、
負極側Ｎ端子と前記充電回路の２次側に設けられる正極側Ｐ端子とを含む外部接続端子と、を備え、
前記交流直流変換部の出力側と前記充電回路の入力側とが短絡されている状態と、前記３相入力端子または前記正極側Ｐ端子と前記充電回路の入力側とが短絡されている状態とを切り替え可能に構成されている、インバータ装置。
【請求項２】
短絡部材をさらに備え、
前記短絡部材の接続を変更することによって、前記交流直流変換部の出力側と前記充電回路の入力側とが短絡されている状態と、前記３相入力端子または前記正極側Ｐ端子と前記充電回路の入力側とが短絡されている状態とを切り替え可能に構成されている、請求項１に記載のインバータ装置。
【請求項３】
開口部を含むインバータ筐体をさらに備え、
前記開口部からは、前記交流直流変換部の出力側の第１配線部分と、前記充電回路の入力側の第２配線部分と、前記３相入力端子または前記正極側Ｐ端子からの第３配線部分と、前記短絡部材とが露出されている、請求項２に記載のインバータ装置。
【請求項４】
前記第１配線部分、前記第２配線部分、および、前記第３配線部分の各々には、前記短絡部材を固定可能な金属製の固定具が接続されており、
前記短絡部材の接続を変更することによって、前記短絡部材が、前記第１配線部分に接続されている前記固定具と、前記第２配線部分に接続されている前記固定具とに接続されている状態と、前記短絡部材が、前記第２配線部分に接続されている前記固定具と、前記第３配線部分に接続されている前記固定具とに接続されている状態とを切り替え可能に構成されている、請求項３に記載のインバータ装置。
【請求項５】
前記固定具は、ネジを含み、
前記短絡部材は、前記ネジを緩めることによってスライド移動可能になるとともに、前記ネジを締めることによって固定されるように構成されている、請求項４に記載のインバータ装置。
【請求項６】
前記短絡部材は、前記第１配線部分に接続されている前記固定具に係合する第１係合部と、前記第２配線部分に接続されている前記固定具に係合する第２係合部と、前記第３配線部分に接続されている前記固定具に係合する第３係合部と、を含む、請求項４または５に記載のインバータ装置。
【請求項７】
前記第１係合部および前記第３係合部の各々は、前記固定具に係合する切り欠き部を含むとともに、前記第２係合部は前記固定具に係合するスリット状の孔部を含む、請求項６に記載のインバータ装置。
【請求項８】
前記第１配線部分、前記第２配線部分、および、前記第３配線部分は直線状に互いに間隔を隔てて配置されている、請求項３〜７のいずれか１項に記載のインバータ装置。
【請求項９】
前記第２配線部分は、前記第１配線部分と前記第３配線部分とにより挟まれるように配置されている、請求項８に記載のインバータ装置。
【請求項１０】
前記インバータ装置は、３相交流が入力される第１インバータ装置と、前記第１インバータ装置に接続され、直流入力される第２インバータ装置とを含み、
前記第１インバータ装置および前記第２インバータ装置の各々の前記正極側Ｐ端子は、前記充電回路の２次側に設けられる第１正極側Ｐ端子と、前記第１正極側Ｐ端子の近傍でかつ２次側に設けられる第２正極側Ｐ端子とを含み、
前記第１インバータ装置の前記交流直流変換部の出力側と前記充電回路の入力側とは短絡されているとともに、前記第２インバータ装置の前記３相入力端子のうちのいずれか一つの端子と前記充電回路の入力側とは短絡されており、
前記第１インバータ装置の前記第２正極側Ｐ端子と、前記第２インバータ装置の前記３相入力端子のうちの前記充電回路の入力側と短絡されている端子とは接続されているとともに、前記第１インバータ装置の前記負極側Ｎ端子と前記第２インバータ装置の前記負極側Ｎ端子とは接続されるように構成されている、請求項１〜９のいずれか１項に記載のインバータ装置。
【請求項１１】
前記インバータ装置は、３相交流が入力される第１インバータ装置と、前記第１インバータ装置に接続され、直流入力される第２インバータ装置とを含み、
前記第１インバータ装置および前記第２インバータ装置の各々の前記正極側Ｐ端子は、前記充電回路の２次側に設けられる第１正極側Ｐ端子と、前記第１正極側Ｐ端子の近傍でかつ２次側に設けられる第２正極側Ｐ端子とを含み、
前記第１インバータ装置の前記交流直流変換部の出力側と前記充電回路の入力側とは短絡されているとともに、前記第２インバータ装置の前記第２正極側Ｐ端子と前記充電回路の入力側とは短絡されており、
前記第１インバータ装置の前記第１正極側Ｐ端子と前記第２インバータ装置の前記第１正極側Ｐ端子とは接続されているとともに、前記第１インバータ装置の前記負極側Ｎ端子と前記第２インバータ装置の前記負極側Ｎ端子とは接続されるように構成されている、請求項１〜９のいずれか１項に記載のインバータ装置。
【発明の詳細な説明】
【技術分野】
【０００１】
この発明は、インバータ装置に関し、特に、３相交流入力状態と直流入力状態とを切り替え可能に構成されているインバータ装置に関する。
【背景技術】
【０００２】
従来、３相交流入力状態と直流入力状態とを切り替え可能に構成されているインバータ装置が知られている（たとえば、特許文献１参照）。
【０００３】
上記特許文献１に記載のインバータ装置は、３相入力端子（ＲＳＴ端子）と、交流直流変換部（整流回路）と、交流直流変換部に直列接続されている直流リアクトルと、直流リアクトルに直列接続されている、突入電流抑制抵抗と抑制抵抗短絡用コンタクタとからなる充電回路（並列回路）と、充電回路に直列接続されている平滑コンデンサと、平滑コンデンサに並列接続されているインバータ部と、インバータ部の出力端子と、を備えている。また、直流リアクトルと充電回路との間には、正極側端子（正極側の外部端子）であるＰ１端子およびＰ２端子が設けられている。なお、Ｐ１端子およびＰ２端子は、充電回路の１次側に設けられている。また、Ｐ１端子と出力端子との間には、正極側端子であるＰ３端子が設けられている。また、インバータ部と入力端子との間には、負極側のＮ端子が設けられている。上記インバータ装置では、交流入力時には、短絡バーによって、Ｐ１端子とＰ２端子とが短絡されている。また、上記短絡バーを外し、Ｐ１端子とＮ端子間に直流電源を接続することにより直流リアクトルをバイパスすることによって、交流入力状態から直流入力状態に切り替え可能に構成されている。
【０００４】
具体的には、交流入力時には、電流は、ＲＳＴ端子、交流直流変換部（整流回路）、直流リアクトル、Ｐ２端子、Ｐ１端子、充電回路（並列回路）、インバータ部、出力端子の順に流れる。また、直流入力時には、電流は、直流リアクトルを介さずに、Ｐ１端子、充電回路、インバータ部、出力端子の順に流れる。
【先行技術文献】
【特許文献】
【０００５】
【特許文献１】特開平９−２６１９７３号公報
【発明の概要】
【発明が解決しようとする課題】
【０００６】
ここで、上記特許文献１に記載のインバータ装置では、充電回路の１次側に設けられ、交流入力状態と直流入力状態とを切り替えるのに必要なＰ１端子およびＰ２端子に加えて、モータ等の負荷からの回生電力を消費するための外付けの制動抵抗等を平滑コンデンサに並列接続させるために、充電回路（並列回路）の２次側にＰ３端子を追加的に設ける必要がある。したがって、上記特許文献１に記載のインバータ装置では、３つの正極側の外部端子（Ｐ１端子、Ｐ２端子、および、Ｐ３端子）が必要であるので、これら外部端子を備える主回路端子台が大型化し、それに伴って装置の外形が大型化するという不都合がある。これに対して、装置の外形の大型化を抑制するために、２つの正極側端子（上記特許文献１ではＰ１端子およびＰ２端子）を充電回路の２次側に設ける構成が知られている。
【０００７】
しかしながら、２つの正極側端子を充電回路の２次側に設けた場合、１台目のインバータ装置を３相交流入力状態とし、２台目以降のインバータ装置を直流入力状態とすると、平滑コンデンサを初期充電する際に、充電電流が１台目のインバータ装置の充電回路のみを通る（２台目以降のインバータ装置の充電回路を通らない）ので、１台目のインバータ装置の充電回路の容量によって接続可能なインバータ装置の台数が制限されるという問題点がある。
【０００８】
この発明は、上記のような課題を解決するためになされたものであり、この発明の１つの目的は、接続可能台数の低下を抑制することが可能なインバータ装置を提供することである。
【課題を解決するための手段】
【０００９】
この発明の一の局面によるインバータ装置は、３相入力端子と、３相入力端子からの交流電圧を直流電圧に変換する交流直流変換部と、交流直流変換部により変換された直流電圧を平滑する平滑コンデンサと、平滑コンデンサにより平滑された直流電圧を交流電圧に変換する直流交流変換部と、交流直流変換部と平滑コンデンサとの間に接続され、スイッチと充電抵抗との並列回路からなる充電回路と、負極側Ｎ端子と充電回路の２次側に設けられる正極側Ｐ端子とを含む外部接続端子と、を備え、交流直流変換部の出力側と充電回路の入力側とが短絡されている状態と、３相入力端子または正極側Ｐ端子と充電回路の入力側とが短絡されている状態とを切り替え可能に構成されている。
【００１０】
この発明の一の局面によるインバータ装置では、上記のように、交流直流変換部の出力側と充電回路の入力側とが短絡されている状態と、３相入力端子または正極側Ｐ端子と充電回路の入力側とが短絡されている状態とを切り替え可能に構成されていることによって、２台目以降のインバータ装置の３相入力端子または正極側Ｐ端子に１台目のインバータ装置から直流電流を流した場合、直流電流が２台目以降のインバータ装置の各充電回路を通る。これにより、１台目のインバータ装置の充電回路に加えて２台目以降のインバータ装置の充電回路を使用することができるので、インバータ装置の接続可能台数の低下を抑制することができる。また、正極側Ｐ端子が充電回路の２次側に設けられていることによって、モータ等の負荷からの回生電力を消費するための外付けの抵抗等を平滑コンデンサに並列接続させるために、新たに正極側Ｐ端子を充電回路の２次側に設ける必要がない。その結果、装置の外形の大型化を抑制することができる。
【００１１】
上記一の局面によるインバータ装置において、短絡部材をさらに備え、短絡部材の接続を変更することによって、交流直流変換部の出力側と充電回路の入力側とが短絡されている状態と、３相入力端子または正極側Ｐ端子と充電回路の入力側とが短絡されている状態とを切り替え可能に構成されている。このように構成すれば、短絡部材の接続を変更するだけで、充電回路の入力側への接続を容易に変更することができる。
【００１２】
この場合、好ましくは、開口部を含むインバータ筐体をさらに備え、開口部からは、交流直流変換部の出力側の第１配線部分と、充電回路の入力側の第２配線部分と、３相入力端子または正極側Ｐ端子からの第３配線部分と、短絡部材とが露出されている。このように構成すれば、開口部から露出している短絡部材を用いて、交流直流変換部の出力側と充電回路の入力側と３相入力端子との間の短絡状態を切り替えることができる。その結果、短絡部材が露出していない場合に比べて、３相交流入力状態と直流入力状態との切り替え作業を容易にすることができる。
【００１３】
上記開口部を含むインバータ筐体を備えるインバータ装置において、好ましくは、第１配線部分、第２配線部分、および、第３配線部分の各々には、短絡部材を固定可能な金属製の固定具が接続されており、短絡部材の接続を変更することによって、短絡部材が、第１配線部分に接続されている固定具と、第２配線部分に接続されている固定具とに接続されている状態と、短絡部材が、第２配線部分に接続されている固定具と、第３配線部分に接続されている固定具とに接続されている状態とを切り替え可能に構成されている。このように構成すれば、第１配線部分、第２配線部分、および、第３配線部分の各々に固定具が設けられているので、短絡部材を容易に固定することができる。
【００１４】
この場合、好ましくは、固定具は、ネジを含み、短絡部材は、ネジを緩めることによってスライド移動可能になるとともに、ネジを締めることによって固定されるように構成されている。このように構成すれば、短絡部材の移動および固定において、ネジを取り外す必要がないので、短絡部材の移動および固定を容易にかつすみやかに行うことができる。
【００１５】
上記短絡部材が固定具に接続されているインバータ装置において、好ましくは、短絡部材は、第１配線部分に接続されている固定具に係合する第１係合部と、第２配線部分に接続されている固定具に係合する第２係合部と、第３配線部分に接続されている固定具に係合する第３係合部と、を含む。このように構成すれば、短絡部材が各係合部のうちのいずれかと係合することによって、振動等に起因する短絡部材のずれを抑制することができる。
【００１６】
この場合、好ましくは、第１係合部および第３係合部の各々は、固定具に係合する切り欠き部を含むとともに、第２係合部は固定具に係合するスリット状の孔部を含む。このように構成すれば、第１係合部および第３係合部の各々が、固定具に係合する切り欠き部を含むことによって、第１係合部または第３係合部によって短絡部材を仮止めすることができる。その結果、短絡部材を移動させるだけで、短絡部材が、第１係合部と第２係合部とに係合している状態から、第２係合部と第３係合部とに係合している状態に切り替えることができる。また、スリット状の孔部と固定具とが係合することによって、短絡部材が落下するのを抑制することができる。
【００１７】
上記開口部を含むインバータ筐体を備えるインバータ装置において、好ましくは、第１配線部分、第２配線部分、および、第３配線部分は直線状に互いに間隔を隔てて配置されている。このように構成すれば、短絡部材を直線的に移動させるだけで、短絡部材と、第１配線部分、第２配線部分、または、第３配線部分との間の接続を切り替えることができる。
【００１８】
この場合、好ましくは、第２配線部分は、第１配線部分と第３配線部分とにより挟まれるように配置されている。このように構成すれば、短絡部材によって、第１配線部分と第２配線部分とが接続されている状態と、第２配線部分と第３配線部分とが接続されている状態とを容易に切り替えることができる。
【００１９】
上記一の局面によるインバータ装置において、インバータ装置は、３相交流が入力される第１インバータ装置と、第１インバータ装置に接続され、直流入力される第２インバータ装置とを含み、第１インバータ装置および第２インバータ装置の各々の正極側Ｐ端子は、充電回路の２次側に設けられる第１正極側Ｐ端子と、第１正極側Ｐ端子の近傍でかつ２次側に設けられる第２正極側Ｐ端子とを含み、第１インバータ装置の交流直流変換部の出力側と充電回路の入力側とは短絡されているとともに、第２インバータ装置の３相入力端子のうちのいずれか一つの端子と充電回路の入力側とは短絡されており、第１インバータ装置の第２正極側Ｐ端子と、第２インバータ装置の３相入力端子のうちの充電回路の入力側と短絡されている端子とは接続されているとともに、第１インバータ装置の負極側Ｎ端子と第２インバータ装置の負極側Ｎ端子とは接続されるように構成されている。このように構成すれば、第１インバータ装置の第２正極側Ｐ端子から流れる直流電流が、第２インバータ装置のいずれか一つの端子を介して第２インバータ装置の充電回路を通るので、第１インバータ装置の充電回路に加えて第２インバータ装置の充電回路を使用することができる。したがって、インバータ装置の接続台数をさらに増加した場合でも、第１インバータ装置からの直流電流が２台目以降の各充電回路を通るので、インバータ装置の接続可能台数の低下を抑制することができる。
【００２０】
上記一の局面によるインバータ装置において、インバータ装置は、３相交流が入力される第１インバータ装置と、第１インバータ装置に接続され、直流入力される第２インバータ装置とを含み、第１インバータ装置および第２インバータ装置の各々の正極側Ｐ端子は、充電回路の２次側に設けられる第１正極側Ｐ端子と、第１正極側Ｐ端子の近傍でかつ２次側に設けられる第２正極側Ｐ端子とを含み、第１インバータ装置の交流直流変換部の出力側と充電回路の入力側とは短絡されているとともに、第２インバータ装置の第２正極側Ｐ端子と充電回路の入力側とは短絡されており、第１インバータ装置の第１正極側Ｐ端子と第２インバータ装置の第１正極側Ｐ端子とは接続されているとともに、第１インバータ装置の負極側Ｎ端子と第２インバータ装置の負極側Ｎ端子とは接続されるように構成されている。このように構成すれば、第１インバータ装置の第２正極側Ｐ端子から流れる直流電流が、第２インバータ装置の第２正極側Ｐ端子を介して第２インバータ装置の充電回路を通るので、第１インバータ装置の充電回路に加えて第２インバータ装置の充電回路を使用することができる。したがって、インバータ装置の接続台数をさらに増加した場合でも、第１インバータ装置からの直流電流が２台目以降の各充電回路を通るので、インバータ装置の接続可能台数の低下を抑制することができる。また、第２正極側Ｐ端子が充電回路の入力側の近傍に配置されている場合は、配線距離を短くすることができる。
【発明の効果】
【００２１】
本発明によれば、上記のように、接続可能台数の低下を抑制することが可能なインバータ装置を提供することができる。
【図面の簡単な説明】
【００２２】
【図１】本発明の第１実施形態によるインバータ装置の構成を示した図である。
【図２】本発明の第１実施形態によるインバータ装置のインバータ筐体の構成を示した斜視図である。
【図３】本発明の第１実施形態によるインバータ装置の交流入力状態時の開口部を示した図である。
【図４】本発明の第１実施形態によるインバータ装置の直流入力状態時の開口部を示した図である。
【図５】本発明の第１実施形態によるインバータ装置のインバータ筐体内部の配線構成を示した図である。
【図６】本発明の第１実施形態によるインバータ装置の短絡部材の構成を示した斜視図である。
【図７】本発明の第２実施形態によるインバータ装置の構成を示した図である。
【発明を実施するための形態】
【００２３】
以下、本発明を具体化した実施形態を図面に基づいて説明する。
【００２４】
［第１実施形態］
まず、図１〜図６を参照して、第１実施形態によるインバータ装置１００の構成について説明する。
【００２５】
（インバータ装置の構造）
図１に示すように、インバータ装置１００は、交流電源等から３相交流が入力される第１インバータ装置１００ａと、第１インバータ装置１００ａに接続され、直流が入力される第２インバータ装置１００ｂとを含む。
【００２６】
インバータ装置１００（第１インバータ装置１００ａおよび第２インバータ装置１００ｂ）は、３相入力端子１を備える。また、３相入力端子１は、Ｒ端子１ａと、Ｓ端子１ｂと、Ｔ端子１ｃとを含む。また、インバータ装置１００（第１インバータ装置１００ａおよび第２インバータ装置１００ｂ）は、３相入力端子１に接続され、３相入力端子１からの交流電圧を直流電圧に変換する整流回路２を備える。たとえば、整流回路２は、ダイオードを三相ブリッジ接続したものである。なお、整流回路２は、特許請求の範囲の「交流直流変換部」の一例である。
【００２７】
インバータ装置１００（第１インバータ装置１００ａおよび第２インバータ装置１００ｂ）は、整流回路２と、後述する平滑コンデンサ５との間に接続される充電回路３を備える。充電回路３の構成については、後述する。
【００２８】
また、インバータ装置１００（第１インバータ装置１００ａおよび第２インバータ装置１００ｂ）は、外部接続端子４を備える。
【００２９】
外部接続端子４は、正極側Ｐ端子４０と、負極側Ｎ端子４１とを含む。正極側Ｐ端子４０は、充電回路３の２次側に設けられる第１正極側Ｐ端子４０ａと、第１正極側Ｐ端子４０ａの近傍でかつ２次側に設けられる第２正極側Ｐ端子４０ｂとを含む。また、第１正極側Ｐ端子４０ａは、充電回路３に接続されている。また、第１正極側Ｐ端子４０ａと第２正極側Ｐ端子４０ｂとは短絡している。
【００３０】
また、インバータ装置１００（第１インバータ装置１００ａおよび第２インバータ装置１００ｂ）は、整流回路２により変換された直流電圧を平滑する平滑コンデンサ５を備える。平滑コンデンサ５は、第２正極側Ｐ端子４０ｂの２次側において、第２正極側Ｐ端子４０ｂと接続されている。また、負極側Ｎ端子４１は、平滑コンデンサ５の負極側に設けられている。
【００３１】
また、インバータ装置１００（第１インバータ装置１００ａおよび第２インバータ装置１００ｂ）は、平滑コンデンサ５の両端の平滑された直流電圧を入力として、所望の周波数と電圧とを有する交流電圧に変換するインバータ回路１０１を備える。インバータ回路１０１は、たとえば、ＩＧＢＴやＭＯＳ−ＦＥＴ等の半導体スイッチング素子と還流用ダイオードとの逆並列回路を三相ブリッジ接続したものである。なお、インバータ回路１０１は、特許請求の範囲の「直流交流変換部」の一例である。
【００３２】
このようなインバータ装置１００（第１インバータ装置１００ａおよび第２インバータ装置１００ｂ）の起動時には、交流電源の３相交流電圧を整流回路２により整流して平滑コンデンサ５を充電するが、起動直後は平滑コンデンサ５に電荷が充電されていないので大きな突入電流が流れる。この初期充電時の突入電流を抑制するために、充電回路３が設けられている。たとえば、充電回路３は、開閉器、接触器、半導体スイッチ等からなるスイッチ３ａと、このスイッチ３ａと並列接続される充電抵抗３ｂから構成される。
【００３３】
また、インバータ装置１００（第１インバータ装置１００ａおよび第２インバータ装置１００ｂ）の起動時には、スイッチ３ａを開放しておくことにより、平滑コンデンサ５は充電抵抗３ｂを介して充電される。次に、平滑コンデンサ５の両端電圧が所定電圧（たとえば、ピーク充電電圧の８０〜９０％程度に予め設定した値）に達すると、スイッチ３ａを閉路して充電抵抗３ｂを短絡する。その後、インバータ回路１０１の運転を開始し、モータ１０２を可変速駆動する。
【００３４】
また、インバータ装置１００（第１インバータ装置１００ａおよび第２インバータ装置１００ｂ）には、整流回路２と充電回路３との間、および、平滑コンデンサ５と整流回路２との間の各々に、高周波成分を抑制するための直流リアクトル６が設けられている。なお、第１実施形態では、インバータ装置１００が直流リアクトル６を内蔵している場合を示しているが、直流リアクトル６は内蔵していなくてもよい。
【００３５】
ここで、第１実施形態では、インバータ装置１００（第１インバータ装置１００ａおよび第２インバータ装置１００ｂ）は、整流回路２の正極側の出力側と充電回路３の入力側（整流回路２側）とが短絡されている状態と、３相入力端子１のいずれか一つ（第１実施形態ではＳ相）と充電回路３の入力側とが短絡されている状態とを切り替え可能に構成されている。これにより、インバータ装置１００（第１インバータ装置１００ａおよび第２インバータ装置１００ｂ）は、３相交流入力状態と直流入力状態とを切り替え可能に構成されている。具体的には、第１インバータ装置１００ａは、整流回路２の出力側と充電回路３の入力側とが短絡されることによって、交流入力状態になっている。一方、第２インバータ装置１００ｂは、３相入力端子１と充電回路３の入力側とが短絡されることによって、直流入力状態になっている。
【００３６】
また、第１実施形態では、第２インバータ装置１００ｂは、３相入力端子１のうちのＳ端子１ｂと充電回路３の入力側とが短絡されている。また、第１インバータ装置１００ａの第２正極側Ｐ端子４０ｂと第２インバータ装置１００ｂのＳ端子１ｂとが接続されている。すなわち、第１インバータ装置１００ａの整流回路２によって変換された直流電流は、第１インバータ装置１００ａの第２正極側Ｐ端子４０ｂと第２インバータ装置１００ｂのＳ端子１ｂとを介して、第２インバータ装置１００ｂの充電回路３に流れる。この際、直流電流は、第２インバータ装置１００ｂの整流回路２は通らない。また、第１インバータ装置１００ａの負極側Ｎ端子４１と第２インバータ装置１００ｂの負極側Ｎ端子４１とは接続されている。
【００３７】
（インバータ装置の配線切り替え手法）
図２に示すように、インバータ装置１００は、３相入力端子１（図１参照）と、整流回路２（図１参照）と、充電回路３（図１参照）と、外部接続端子４（図１参照）とを含むインバータ筐体７を備える。具体的には、インバータ装置１００は、３相入力端子１と、整流回路２と、充電回路３と、外部接続端子４とを有するインバータ装置本体部（図示せず）を含み、インバータ装置本体部はインバータ筐体７に収容されている。
【００３８】
インバータ筐体７には、取り外し可能な表面カバー７０が設けられている。表面カバー７０を取り外すことによって、３相入力端子１（図１参照）および外部接続端子４（図１参照）が露出する。すなわち、表面カバー７０を取り外すことによって主回路端子台（図示せず）が露出し、図示しない接続ケーブル等により、第１インバータ装置１００ａ（図１参照）と第２インバータ装置１００ｂ（図１参照）とを接続する作業が可能となる。なお、図２では、都合上、単一（第１インバータ装置１００ａまたは第２インバータ装置１００ｂ）のインバータ筐体７のみを図示している。
【００３９】
また、インバータ筐体７は、筐体側面に設けられた開口部８を含む。インバータ装置１００の通常使用時では、開口部８は取り外し可能なカバー（図示せず）によって塞がれている。
【００４０】
また、第１実施形態では、図３に示すように、開口部８から、整流回路２（図１参照）の出力側の第１配線部分８ａと、充電回路３（図１参照）の入力側の第２配線部分８ｂと、３相入力端子１（Ｓ端子１ｂ）（図１参照）からの第３配線部分８ｃと、後述する短絡バー９とが露出されている。具体的には、第１配線部分８ａと第２配線部分８ｂと第３配線部分８ｃとは、Ｚ１方向側から、第１配線部分８ａ、第２配線部分８ｂ、第３配線部分８ｃの順に配置されている。また、開口部８を塞いでいるカバー（図示せず）を取り外すことによって、第１配線部分８ａ、第２配線部分８ｂ、第３配線部分８ｃ、および、短絡バー９に対してアクセス可能となる。なお、短絡バー９は、特許請求の範囲の「短絡部材」の一例である。
【００４１】
また、第１実施形態では、第１配線部分８ａ、第２配線部分８ｂ、および、第３配線部分８ｃは、互いに直線状に間隔を隔てて配置されている。具体的には、第１配線部分８ａと第２配線部分８ｂと第３配線部分８ｃとは、ＸＺ平面上において、斜め方向に沿って直線状に配置されている。
【００４２】
また、第１実施形態では、第２配線部分８ｂは、第１配線部分８ａと第３配線部分８ｃとにより挟まれている。具体的には、第２配線部分８ｂは、第１配線部分８ａと第３配線部分８ｃとの略中央に配置されている。
【００４３】
また、インバータ装置１００は、インバータ筐体７（図２参照）に含まれる、スライド移動可能な短絡バー９を備えている。短絡バー９は、たとえば、銅またはアルミニウム等の導電部材により形成されている。
【００４４】
また、第１実施形態では、図３および図４に示すように、インバータ装置１００は、短絡バー９の接続を変更することによって、整流回路２（図１参照）の出力側と充電回路３（図１参照）の入力側とが短絡されている状態（図３参照）と、３相入力端子１（Ｓ端子１ｂ）（図１参照）と充電回路３の入力側とが短絡されている状態（図４参照）とを切り替え可能に構成されている。具体的には、短絡バー９の接続を変更することによって、短絡バー９が第１配線部分８ａと第２配線部分８ｂとを短絡させている状態（図３参照）と、短絡バー９が第２配線部分８ｂと第３配線部分８ｃとを短絡させている状態（図４参照）とを切り替えることが可能である。なお、短絡バー９が第１配線部分８ａと第２配線部分８ｂとを短絡させている状態（図３参照）は、図１の第１インバータ装置１００ａの状態である。また、短絡バー９が第２配線部分８ｂと第３配線部分８ｃとを短絡させている状態（図４参照）は、図１の第２インバータ装置１００ｂの状態である。
【００４５】
また、第１実施形態では、第１配線部分８ａ、第２配線部分８ｂ、および、第３配線部分８ｃの各々には、短絡バー９を固定可能な金属製のネジ１０が接続されている。具体的には、図３では、短絡バー９は、第１配線部分８ａに接続されているネジ１０ａと、第２配線部分８ｂに接続されているネジ１０ｂとに接続されている。また、図４では、短絡バー９は、第２配線部分８ｂに接続されているネジ１０ｂと、第３配線部分８ｃに接続されているネジ１０ｃとに接続されている。なお、ネジ１０およびネジ１０ａは、それぞれ、特許請求の範囲の「固定具」および「第１配線部分に接続されている固定具」の一例である。また、ネジ１０ｂおよびネジ１０ｃは、それぞれ、特許請求の範囲の「第２配線部分に接続されている固定具」および「第３配線部分に接続されている固定具」の一例である。
【００４６】
すなわち、インバータ装置１００は、短絡バー９をスライド移動させることによって、短絡バー９がネジ１０ａとネジ１０ｂとに接続されている状態と、短絡バー９がネジ１０ｂとネジ１０ｃとに接続されている状態とを切り替え可能に構成されている。
【００４７】
また、第１実施形態では、短絡バー９は、ネジ１０を緩めることによってスライド移動可能になるとともに、ネジ１０を締めることによって固定される。具体的には、ネジ１０を緩めることによってネジ１０がＹ１方向側に移動するので、ネジ１０と短絡バー９との間に隙間が生じる。その結果、短絡バー９はスライド移動可能となる。また、Ｙ１方向側から見て、ネジ１０と短絡バー９とがオーバーラップした状態でネジ１０を締めることによって、ネジ１０は、Ｙ２方向側に移動するとともに短絡バー９をＹ１方向側から押圧する。その結果、短絡バー９は固定される。
【００４８】
図５に示すように、インバータ筐体７（図２参照）の内部を通る配線の端部が、インバータ装置本体部（図示せず）の外部に出ることによって、第２配線部分８ｂ、および、第３配線部分８ｃが、開口部８に露出するように構成されている。具体的には、インバータ筐体７の内部の配線８０の端部がインバータ装置本体部の外部に出ることによって、第１配線部分８ａが開口部８に露出する。また、インバータ筐体７の内部の配線８１の端部がインバータ装置本体部の外部に出ることによって、第２配線部分８ｂが開口部８に露出する。また、インバータ筐体７の内部の配線８２の端部がインバータ装置本体部の外部に出ることによって、第３配線部分８ｃが開口部８に露出する。なお、図５では、短絡バー９およびネジ１０は、都合上、図示を省略している。
【００４９】
また、第１実施形態では、図６に示すように、短絡バー９は、ネジ１０ａに係合する第１切り欠き部９ａと、ネジ１０ｂに係合するスリット状の孔部９ｂと、ネジ１０ｃに係合する第２切り欠き部９ｃと、を含む。具体的には、第１切り欠き部９ａおよび第２切り欠き部９ｃの各々は、円弧部９０を有する。また、第１切り欠き部９ａの円弧部９０、および、第２切り欠き部９ｃの円弧部９０は、ネジ１０のネジ頭以外の部分（図示せず）が通るように構成されている。なお、第１切り欠き部９ａと、第２切り欠き部９ｃとは、略同一の形状である。なお、第１切り欠き部９ａ、および、孔部９ｂは、それぞれ、特許請求の範囲の「第１係合部」および「第２係合部」の一例である。また、第２切り欠き部９ｃは、特許請求の範囲の「第３係合部」の一例である。
【００５０】
また、孔部９ｂは、第１切り欠き部９ａと第２切り欠き部９ｃとの間に設けられる。また、孔部９ｂは、第１切り欠き部９ａ側から第２切り欠き部９ｃ側に向かって延びるように構成されている。また、孔部９ｂの第１切り欠き部９ａ側の端部、および、孔部９ｂの第２切り欠き部９ｃ側の端部の各々には、円弧部９１が設けられている。円弧部９１は、円弧部９０と略同一の形状を有している。すなわち、円弧部９０と同様に、円弧部９１は、ネジ１０（図３および図４参照）のネジ頭以外の部分（図示せず）が通るように構成されている。
【００５１】
具体的には、交流入力時（図３参照）においては、ネジ１０ａ（図３参照）のネジ頭以外の部分（図示せず）は、第１切り欠き部９ａの円弧部９０を通るとともに、ネジ１０ｂ（図３参照）のネジ頭以外の部分（図示せず）は、孔部９ｂの第２切り欠き部９ｃ側の円弧部９１を通る。
【００５２】
また、直流入力時（図４参照）においては、ネジ１０ｂ（図４参照）のネジ頭以外の部分（図示せず）は、孔部９ｂの第１切り欠き部９ａ側の円弧部９１を通り、ネジ１０ｃ（図４参照）のネジ頭以外の部分（図示せず）は、第２切り欠き部９ｃの円弧部９０を通る。
【００５３】
また、孔部９ｂには、２つの円弧部９１の間に、スライド部９２が設けられている。スライド部９２は、第１切り欠き部９ａ側から第２切り欠き部９ｃ側に向かって延びている。短絡バー９がスライド移動している際は、ネジ１０ｂはスライド部９２を通る。
【００５４】
（第１実施形態の効果）
第１実施形態では、以下のような効果を得ることができる。
【００５５】
第１実施形態では、上記のように、整流回路２の出力側と充電回路３の入力側とが短絡されている状態と、３相入力端子１と充電回路３の入力側とが短絡されている状態とを切り替え可能にするように、インバータ装置１００を構成する。これにより、第２インバータ装置１００ｂの３相入力端子１に第１インバータ装置１００ａから直流電流を流した場合、直流電流が第２インバータ装置１００ｂの充電回路３を通る。その結果、第１インバータ装置１００ａの充電回路３に加えて第２インバータ装置１００ｂの充電回路３を使用することができる。したがって、インバータ装置１００の接続台数をさらに増加した場合でも、第１インバータ装置１００ａからの直流電流が２台目以降の各充電回路３を通るので、インバータ装置１００の接続可能台数の低下を抑制することができる。また、正極側Ｐ端子４０が充電回路３の２次側に設けられていることによって、モータ１０２からの回生電力を消費するための外付けの抵抗等を平滑コンデンサ５に並列接続させるために、新たに正極側Ｐ端子を充電回路３の２次側に設ける必要がない。その結果、主回路端子台の大型化を抑制するとともに、装置の外形の大型化を抑制することができる。
【００５６】
また、第１実施形態では、上記のように、短絡バー９をさらに備え、短絡バー９の接続を変更することによって、整流回路２の出力側と充電回路３の入力側とが短絡されている状態と、３相入力端子１と充電回路３の入力側とが短絡されている状態とを切り替え可能にするように、インバータ装置１００を構成する。これにより、短絡バー９の接続を変更するだけで、充電回路３の入力側への接続を容易に変更することができる。
【００５７】
また、第１実施形態では、上記のように、開口部８を含むインバータ筐体７をさらに備え、開口部８からは、整流回路２の出力側の第１配線部分８ａと、充電回路３の入力側の第２配線部分８ｂと、３相入力端子１からの第３配線部分８ｃと、短絡バー９とが露出されるように、インバータ装置１００を構成する。これにより、開口部８から露出している短絡バー９を用いて、整流回路２の出力側と充電回路３の入力側と３相入力端子１との間の短絡状態を切り替えることができる。その結果、短絡バー９が露出していない場合に比べて、３相交流入力状態と直流入力状態との切り替え作業を容易にすることができる。
【００５８】
また、第１実施形態では、上記のように、第１配線部分８ａ、第２配線部分８ｂ、および、第３配線部分８ｃの各々に、短絡バー９を固定可能な金属製のネジ１０が接続されており、短絡バー９の接続を変更することによって、短絡バー９が、ネジ１０ａとネジ１０ｂとに接続されている状態と、短絡バー９が、ネジ１０ｂとネジ１０ｃとに接続されている状態とを切り替え可能にするように、インバータ装置１００を構成する。これにより、第１配線部分８ａ、第２配線部分８ｂ、および、第３配線部分８ｃの各々にネジ１０が設けられているので、短絡バー９を容易に固定することができる。
【００５９】
また、第１実施形態では、上記のように、短絡バー９が、ネジ１０を緩めることによってスライド移動可能になるとともに、ネジ１０を締めることによって固定されるように、インバータ装置１００を構成する。これにより、短絡バー９の移動および固定において、ネジ１０を取り外す必要がないので、短絡バー９の移動および固定を容易にかつすみやかに行うことができる。
【００６０】
また、第１実施形態では、上記のように、短絡バー９が、ネジ１０ａに係合する第１切り欠き部９ａと、ネジ１０ｂに係合する孔部９ｂと、ネジ１０ｃに係合する第２切り欠き部９ｃと、を含むように、インバータ装置１００を構成する。これにより、短絡バー９が各係合部のうちのいずれかと係合することによって、振動等に起因する短絡バー９のずれを抑制することができる。
【００６１】
また、第１実施形態では、上記のように、第１配線部分８ａ、第２配線部分８ｂ、および、第３配線部分８ｃが直線状に互いに間隔を隔てて配置されるように、インバータ装置１００を構成する。これにより、短絡バー９を直線的に移動させることができるので、短絡バー９を容易にスライド移動させることができる。
【００６２】
また、第１実施形態では、上記のように、第２配線部分８ｂが、第１配線部分８ａと第３配線部分８ｃとにより挟まれるように配置されるように、インバータ装置１００を構成する。これにより、短絡バー９を直線的にスライド移動させるだけで、短絡バーと、第１配線部分８ａ、第２配線部分８ｂ、または、第３配線部分８ｃとの間の接続を切り替えることができる。
【００６３】
また、第１実施形態では、上記のように、インバータ装置１００が、３相交流が入力される第１インバータ装置１００ａと、第１インバータ装置１００ａに接続され、直流入力される第２インバータ装置１００ｂとを含み、第１インバータ装置１００ａおよび第２インバータ装置１００ｂの各々の正極側Ｐ端子４０が、充電回路３の２次側に設けられる第１正極側Ｐ端子４０ａと、第１正極側Ｐ端子４０ａの近傍でかつ２次側に設けられる第２正極側Ｐ端子４０ｂとを含み、第１インバータ装置１００ａの整流回路２の出力側と充電回路３の入力側とが短絡されているとともに、第２インバータ装置１００ｂの３相入力端子１のうちのＳ端子１ｂと充電回路３の入力側とが短絡されており、第１インバータ装置１００ａの第２正極側Ｐ端子４０ｂと第２インバータ装置１００ｂのＳ端子１ｂとが接続されているとともに、第１インバータ装置１００ａの負極側Ｎ端子４１と第２インバータ装置１００ｂの負極側Ｎ端子４１とが接続されるように、インバータ装置１００を構成する。これにより、第１インバータ装置１００ａの第２正極側Ｐ端子４０ｂから流れる直流電流が、第２インバータ装置１００ｂのＳ端子１ｂを介して第２インバータ装置１００ｂの充電回路３を通るので、第１インバータ装置１００ａの充電回路３に加えて第２インバータ装置１００ｂの充電回路３を使用することができる。したがって、インバータ装置１００の接続台数をさらに増加した場合でも、第１インバータ装置１００ａからの直流電流が２台目以降の各充電回路３を通るので、インバータ装置１００の接続可能台数の低下を抑制することができる。
【００６４】
［第２実施形態］
次に、図３、図４、および、図７を参照して、第２実施形態によるインバータ装置２００の構成について説明する。この第２実施形態におけるインバータ装置２００は、第１実施形態の構成と異なり、正極側Ｐ端子４０と充電回路３の入力側とを短絡することによって、交流入力状態から直流入力状態に切り替えるように構成されている。なお、図中において上記第１実施形態と同様の構成の部分には、同一の符号を付している。
【００６５】
（インバータ装置の構造）
図７に示すように、インバータ装置２００は、３相交流が入力される第１インバータ装置２００ａと、第１インバータ装置２００ａに接続され、直流入力される第２インバータ装置２００ｂとを含む。
【００６６】
ここで、第２実施形態では、第２インバータ装置２００ｂは、第２正極側Ｐ端子４０ｂと充電回路３の入力側とが短絡されている。また、第１インバータ装置２００ａの第１正極側Ｐ端子４０ａと第２インバータ装置２００ｂの第１正極側Ｐ端子４０ａとが接続されている。すなわち、第１インバータ装置２００ａの整流回路２によって変換された直流電流は、第１インバータ装置２００ａの第１正極側Ｐ端子４０ａと第２インバータ装置２００ｂの第１正極側Ｐ端子４０ａとを介して、第２インバータ装置２００ｂの充電回路３に流れる。この際、直流電流は、第２インバータ装置２００ｂの整流回路２は通らない。また、第２インバータ装置２００ｂは、第１正極側Ｐ端子４０ａと第２正極側Ｐ端子４０ｂとを接続する配線（図示せず）を取り外すことによって、第１正極側Ｐ端子４０ａと第２正極側Ｐ端子４０ｂとが短絡しないように構成されている。
【００６７】
また、図３および図４に示すように、開口部８からは、正極側Ｐ端子４０（図７参照）からの第３配線部分８ｄが露出されている。具体的には、開口部８からは、第２正極側Ｐ端子４０ｂ（図７参照）からの第３配線部分８ｄが露出されている。
【００６８】
第２実施形態のその他の構成は、上記第１実施形態と同様である。
【００６９】
（第２実施形態の効果）
第２実施形態では、以下のような効果を得ることができる。
【００７０】
第２実施形態では、上記のように、インバータ装置２００が、３相交流が入力される第１インバータ装置２００ａと、第１インバータ装置２００ａに接続され、直流入力される第２インバータ装置２００ｂとを含み、第１インバータ装置２００ａおよび第２インバータ装置２００ｂの各々の正極側Ｐ端子４０が、充電回路３の２次側に設けられる第１正極側Ｐ端子４０ａと、第１正極側Ｐ端子４０ａの近傍でかつ２次側に設けられる第２正極側Ｐ端子４０ｂとを含み、第１インバータ装置２００ａの整流回路２の出力側と充電回路３の入力側とが短絡されているとともに、第２インバータ装置２００ｂの第２正極側Ｐ端子４０ｂと充電回路３の入力側とが短絡されており、第１インバータ装置２００ａの第１正極側Ｐ端子４０ａと第２インバータ装置２００ｂの第１正極側Ｐ端子４０ａとが接続されているとともに、第１インバータ装置２００ａの負極側Ｎ端子４１と第２インバータ装置２００ｂの負極側Ｎ端子４１とが接続されるように、インバータ装置２００を構成する。これにより、第１インバータ装置２００ａの第２正極側Ｐ端子４０ｂから流れる直流電流が、第２インバータ装置２００ｂの第２正極側Ｐ端子４０ｂを介して第２インバータ装置２００ｂの充電回路３を通るので、上記第１実施形態と同様、インバータ装置２００の接続台数をさらに増加した場合でも、インバータ装置２００の接続可能台数の低下を抑制することができる。また、第２正極側Ｐ端子４０ｂが充電回路３の入力側の近傍に配置されている場合は、配線距離を短くすることができる。
【００７１】
なお、第２実施形態のその他の効果は、上記第１実施形態と同様である。
【００７２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７３】
たとえば、上記第１および第２実施形態では、第１配線部分８ａと第２配線部分８ｂと第３配線部分８ｃ（８ｄ）とが斜め方向に直線状に配置されている構成の例を示したが、本発明はこれに限られない。たとえば、第１配線部分８ａと第２配線部分８ｂと第３配線部分８ｃ（８ｄ）とが、Ｘ方向またはＺ方向に沿って直線状に配置されていてもよい。
【００７４】
また、上記第１および第２実施形態では、第１配線部分８ａと第２配線部分８ｂと第３配線部分８ｃ（８ｄ）とが直線状に配置されている構成の例を示したが、本発明はこれに限られない。たとえば、第１配線部分８ａと第２配線部分８ｂと第３配線部分８ｃ（８ｄ）とがＬ字状になるように配置されていてもよい。
【００７５】
また、上記第１および第２実施形態では、短絡バー９が、２つの切り欠き部（９ａと９ｃ）と１つの孔部９ｂとを含む構成の例を示したが、本発明はこれに限られない。たとえば、２つの切り欠き部のうちの１つがスリット状の孔部であってもよい。
【００７６】
また、上記第１および第２実施形態では、インバータ装置１００（２００）は、第１インバータ装置１００ａ（２００ａ）に、第２インバータ装置１００ｂ（２００ｂ）が接続されている構成の例を示したが、本発明はこれに限られない。たとえば、インバータ装置１００（２００）は、第１インバータ装置１００ａ（２００ａ）に、複数のインバータ装置を接続する構成であってもよい。
【００７７】
また、上記第１および第２実施形態では、第２配線部分８ｂが、第１配線部分８ａと第３配線部分８ｃ（８ｄ）との略中央に配置されている構成の例を示したが、本発明はこれに限られない。たとえば、第２配線部分８ｂが、第３配線部分８ｃ（８ｄ）よりも第１配線部分８ａ側に配置されていてもよい。
【００７８】
また、上記第１実施形態では、第１インバータ装置１００ａの第２正極側Ｐ端子４０ｂと第２インバータ装置１００ｂのＳ端子１ｂとが接続されている構成の例を示したが、本発明はこれに限られない。たとえば、第１インバータ装置１００ａの第１正極側Ｐ端子４０ａと第２インバータ装置１００ｂのＳ端子１ｂとが接続されている構成であってもよい。
【００７９】
また、上記第２実施形態では、第１インバータ装置２００ａの第１正極側Ｐ端子４０ａと第２インバータ装置２００ｂの第１正極側Ｐ端子４０ａとが接続されている構成の例を示したが、本発明はこれに限られない。たとえば、第１インバータ装置２００ａの第２正極側Ｐ端子４０ｂと第２インバータ装置２００ｂの第１正極側Ｐ端子４０ａとが接続されている構成であってもよい。
【００８０】
また、上記第１実施形態では、第１インバータ装置１００ａの第２正極側Ｐ端子４０ｂと第２インバータ装置１００ｂのＳ端子１ｂとが接続されている構成の例を示したが、本発明はこれに限られない。たとえば、第１インバータ装置１００ａの第２正極側Ｐ端子４０ｂと第２インバータ装置１００ｂのＲ端子１ａまたはＴ端子１ｃとが接続されている構成であってもよい。
【符号の説明】
【００８１】
１  ３相入力端子
１ｂ  Ｓ端子
２  整流回路（交流直流変換部）
３  充電回路
３ａ  スイッチ
３ｂ  充電抵抗
４  外部接続端子
５  平滑コンデンサ
７  インバータ筐体
８  開口部
８ａ  第１配線部分
８ｂ  第２配線部分
８ｃ、８ｄ  第３配線部分
９  短絡バー（短絡部材）
９ａ  第１切り欠き部（第１係合部）
９ｂ  孔部（第２係合部）
９ｃ  第２切り欠き部（第３係合部）
１０  ネジ（固定具）
１０ａ  ネジ（第１配線部分に接続されている固定具）
１０ｂ  ネジ（第２配線部分に接続されている固定具）
１０ｃ  ネジ（第３配線部分に接続されている固定具）
４０  正極側Ｐ端子
４０ａ  第１正極側Ｐ端子
４０ｂ  第２正極側Ｐ端子
４１  負極側Ｎ端子
１００、２００  インバータ装置
１００ａ、２００ａ  第１インバータ装置
１００ｂ、２００ｂ  第２インバータ装置
１０１  インバータ回路（直流交流変換部）
【図１】
2018078683.tif 000003
【図２】
2018078683.tif 000004
【図３】
2018078683.tif 000005
【図４】
2018078683.tif 000006
【図５】
2018078683.tif 000007
【図６】
2018078683.tif 000008
【図７】
2018078683.tif 000009